(57)【要約】【課題】複数枚の原稿の画像データを、複数枚の原稿の画像データからなるグループを少なくとも含む複数のグループに分割して処理することが可能な画像処理装置を提供すること。【解決手段】画像読取部１２は、原稿Ｐの画像を読み取って当該原稿Ｐの画像データを生成する。分割処理部１６１は、画像読取部１２により読み取られる複数枚の原稿Ｐの画像データを、予め定められた分割条件に基づいて、複数枚の原稿Ｐの画像データからなるグループを少なくとも含む複数のグループに分割可能である。処理実行部１６２は、分割処理部１６１により分割されるグループごとに前記画像データを処理する。【選択図】図２
2018056797.tif 000002
【特許請求の範囲】
【請求項１】
画像読取部により読み取られる複数枚の原稿の画像データを、予め定められた分割条件に基づいて、複数枚の原稿の画像データからなるグループを少なくとも含む複数のグループに分割可能な分割処理部と、
前記分割処理部により分割されるグループごとに前記画像データを処理する処理実行部と、
を備える画像処理装置。
【請求項２】
前記分割処理部は、前記分割条件が異なる複数の分割モードの中からユーザー操作に応じて選択される分割モードに対応する分割条件に基づいて、前記複数枚の原稿の画像データを複数のグループに分割する、
請求項１に記載の画像処理装置。
【請求項３】
前記複数の分割モードは、前記複数枚の原稿の画像データをユーザー操作に応じて設定される一定枚数のグループに分割する一定枚数分割モードを含む、
請求項２に記載の画像処理装置。
【請求項４】
前記複数の分割モードは、前記複数枚の原稿の画像データをユーザー操作に応じて設定される任意の枚数のグループに分割する任意枚数分割モードを含む、
請求項２又は請求項３に記載の画像処理装置。
【請求項５】
前記複数の分割モードは、前記複数枚の原稿の画像データを前記原稿の特徴に基づいて複数のグループに自動的に分割する自動分割モードを含む、
請求項２に記載の画像処理装置。
【請求項６】
前記分割処理部は、前記自動分割モードにおいて、前記複数枚の原稿の画像データを、前記原稿に含まれる文字又は記号に基づいて複数のグループに自動的に分割する、
請求項５に記載の画像処理装置。
【請求項７】
前記分割処理部は、前記複数枚の原稿の画像データを、前記原稿に含まれるページ番号に基づいて複数のグループに自動的に分割する、
請求項６に記載の画像処理装置。
【請求項８】
前記分割処理部は、ページ番号が連続する一連の原稿の画像データを１つのグループとして、前記複数枚の原稿の画像データを複数のグループに自動的に分割する、
請求項７に記載の画像処理装置。
【請求項９】
前記分割処理部は、前記複数枚の原稿の画像データを、前記原稿に含まれる章番号に基づいて複数のグループに自動的に分割する、
請求項６に記載の画像処理装置。
【請求項１０】
同一の文字又は記号を含む一連の原稿の画像データを１つのグループとして、前記複数枚の原稿の画像データを複数のグループに自動的に分割する、
請求項６に記載の画像処理装置。
【請求項１１】
前記分割処理部は、前記自動分割モードにおいて、前記複数枚の原稿の画像データを、前記原稿のサイズに基づいて複数のグループに自動的に分割する、
請求項５に記載の画像処理装置。
【請求項１２】
前記処理実行部は、前記分割処理部により分割されるグループごとに前記画像データから１つのファイルを生成する、
請求項１〜１１のいずれかに記載の画像処理装置。
【発明の詳細な説明】
【技術分野】
【０００１】
本発明は、原稿の画像を処理する画像処理装置に関する。
【背景技術】
【０００２】
１枚の原稿の画像データを１つのファイルに対応させるシングルページモードと、複数枚の原稿の画像データを１つのファイルに対応させるマルチページモードとの２種類のスキャンモードを有する画像読み取り装置が知られている（例えば、特許文献１参照）。
【先行技術文献】
【特許文献】
【０００３】
【特許文献１】特開２００７−２９５６０４号公報
【発明の概要】
【発明が解決しようとする課題】
【０００４】
ところで、複数枚の原稿を複数のグループに分割して、原稿の画像データを前記グループごとに１つのファイルに変換したい場合がある。この場合、前記画像読み取り装置では、ユーザーが前記グループごとに前記マルチページモードで原稿の画像を読み取らせる必要があり、ユーザーにとって手間がかかる。
【０００５】
本発明の目的は、複数枚の原稿の画像データを、複数枚の原稿の画像データからなるグループを少なくとも含む複数のグループに分割して処理することが可能な画像処理装置を提供することにある。
【課題を解決するための手段】
【０００６】
本発明の一の局面に係る画像処理装置は、分割処理部と、処理実行部と、を備える。前記分割処理部は、画像読取部により読み取られる複数枚の原稿の画像データを、予め定められた分割条件に基づいて、複数枚の原稿の画像データからなるグループを少なくとも含む複数のグループに分割可能である。前記処理実行部は、前記分割処理部により分割されるグループごとに前記画像データを処理する。
【発明の効果】
【０００７】
本発明によれば、複数枚の原稿の画像データを、複数枚の原稿の画像データからなるグループを少なくとも含む複数のグループに分割して処理することが可能な画像処理装置が提供される。
【図面の簡単な説明】
【０００８】
【図１】図１は、本発明の実施形態に係る画像処理装置のシステム構成を示すブロック図である。
【図２】図２は、本発明の実施形態に係る画像処理装置で実行される画像読取処理の手順の一例を示すフローチャートである。
【図３】図３は、本発明の実施形態に係る画像処理装置で用いられる画像読取設定画面の一例を示す図である。
【図４】図４は、本発明の実施形態に係る画像処理装置で用いられる詳細設定画面の一例を示す図である。
【図５】図５は、本発明の実施形態に係る画像処理装置で用いられる関心領域の例を示す図である。
【図６】図６は、本発明の実施形態に係る画像処理装置の１ページ分割モード時の動作の一例を示す図である。
【図７】図７は、本発明の実施形態に係る画像処理装置の一定枚数分割モード時の動作の一例を示す図である。
【図８】図８は、本発明の実施形態に係る画像処理装置の任意枚数分割モード時の動作の一例を示す図である。
【図９】図９は、本発明の実施形態に係る画像処理装置の自動分割モード時の動作の一例を示す図である。
【図１０】図１０は、本発明の実施形態に係る画像処理装置の自動分割モード時の動作の一例を示す図である。
【図１１】図１１は、本発明の実施形態に係る画像処理装置の自動分割モード時の動作の一例を示す図である。
【図１２】図１２は、本発明の実施形態に係る画像処理装置の自動分割モード時の動作の変形例を示す図である。
【発明を実施するための形態】
【０００９】
以下添付図面を参照しながら、本発明の実施形態について説明し、本発明の理解に供する。なお、以下の実施形態は、本発明を具体化した一例であって、本発明の技術的範囲を限定するものではない。
【００１０】
［画像処理装置の構成］
図１及び図２に示されるように、本発明の実施形態に係る画像処理装置１は、操作表示部１０、ＡＤＦ（Auto Document Feeder）１１、画像読取部１２、画像形成部１３、通信Ｉ／Ｆ１４、記憶部１５、及び制御部１６などを備える。具体的に、画像処理装置１は、プリンター機能、スキャナー機能、コピー機能、及びファクシミリ機能などを有する複合機である。なお、本発明は、複合機に限らず、画像読取機能を有する任意の画像処理装置に適用可能である。
【００１１】
操作表示部１０は、情報を表示する液晶ディスプレーなどの表示部と、ユーザー操作を受け付けるタッチパネル及び操作ボタンなどの操作部とを備える。
【００１２】
ＡＤＦ１１は、原稿セット部、搬送ローラー、原稿押さえ、及び排紙部を備え、画像読取部１２の読み取り対象となる原稿Ｐを搬送する自動原稿搬送装置である。
【００１３】
画像読取部１２は、原稿台、光源、ミラー、光学レンズ、及びＣＣＤ（Charge Coupled Device）を備える。画像読取部１２は、ＡＤＦ１１により搬送される原稿Ｐ、又は前記原稿台に載置された原稿Ｐの画像を読み取って当該原稿Ｐの画像データを生成する。
【００１４】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。
【００１５】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部１５は、ハードディスク又はＥＥＰＲＯＭ（登録商標）などの不揮発性の記憶部である。記憶部１５には、制御部１６によって実行される各種の制御プログラム、及び各種のデータなどが記憶される。記憶部１５には、例えば、画像読取部１２によって読み取られた前記画像データが、所定のファイル形式のファイルとして保存される。
【００１７】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
具体的に、制御部１６は、分割処理部１６１、及び処理実行部１６２を含む。なお、制御部１６は、前記制御プログラムに従って各種の処理を実行することによりこれらの各処理部として機能する。また、制御部１６は、これらの各処理部の一部又は複数の処理機能を実現する電子回路を備えるものであってもよい。
【００１９】
ところで、複数枚の原稿Ｐを複数のグループに分割して、画像読取部１２により読み取られた原稿Ｐの画像データを前記グループごとに１つのファイルに変換したい場合がある。しかしながら、１枚の原稿Ｐの画像データを１つのファイルに対応させるシングルページモードと、複数枚の原稿Ｐの画像データを１つのファイルに対応させるマルチページモードとの２種類のスキャンモードしか有していない画像読み取り装置では、ユーザーが前記グループごとに前記マルチページモードで原稿Ｐの画像を読み取らせる必要があり、ユーザーにとって手間がかかる。これに対して、本実施形態に係る画像処理装置１では、以下で説明する構成及び動作により、複数枚の原稿Ｐの画像データを、複数枚の原稿Ｐからなるグループを少なくとも含む複数のグループに分割して処理することが可能である。
【００２０】
分割処理部１６１は、画像読取部１２により読み取られる複数枚の原稿Ｐの画像データを、予め定められた分割条件に基づいて、複数枚の原稿Ｐからなるグループを少なくとも含む複数のグループに分割可能である。具体的には、分割処理部１６１は、前記分割条件が異なる複数の分割モード（後述の１ページ分割モード、一定枚数分割モード、任意枚数分割モード、及び自動分割モード）の中からユーザー操作に応じて選択される分割モードに対応する分割条件に基づいて、前記複数枚の原稿Ｐの画像データを複数のグループに分割する。
【００２１】
処理実行部１６２は、分割処理部１６１により分割されるグループごとに前記画像データを処理する。本実施形態では、処理実行部１６２は、分割処理部１６１により分割されるグループごとに前記画像データから１つのファイルを生成する。
【００２２】
［画像読取処理］
次に、図２を参照しつつ、制御部１６によって実行される画像読取処理の手順の一例について説明する。ここで、ステップＳ１，Ｓ２，・・・は、制御部１６により実行される処理手順（ステップ）の番号を表している。なお、前記画像読取処理は、例えば、操作表示部１０に表示されているスキャンボタン（不図示）が操作されたことに応じて開始される。
【００２３】
＜ステップＳ１＞
まず、ステップＳ１において、制御部１６は、例えば図３に示されるような画像読取設定画面２０を操作表示部１０に表示する。画像読取設定画面２０は、ユーザー操作に応じて前記画像読取処理の動作条件を設定するための設定画面である。
【００２４】
画像読取設定画面２０には、ファイル形式を選択するための複数のラジオボタン２１が含まれている。図３に示される画像読取設定画面２０には、画像読取部１２により読み取られた原稿Ｐの画像データを保存する際のファイル形式の選択候補として、「ＰＤＦ」、「ＴＩＦＦ、及び「ＪＰＧ」が表示されている。ＰＤＦ形式及びＴＩＦＦ形式は、１つのファイルに複数ページの画像データを含めることが可能なファイル形式である。
【００２５】
画像読取設定画面２０には、分割モードを選択するための複数のラジオボタン２２が含まれている。図３に示される画像読取設定画面２０には、画像読取部１２により読み取られた複数枚の原稿Ｐの画像データを複数のグループに分割する際の分割モードの選択候補として、「非分割モード」、「１ページ分割モード」、「一定枚数分割モード」、「任意枚数分割モード」、及び「自動分割モード」が表示されている。
【００２６】
前記「非分割モード」は、前記複数枚の原稿Ｐの画像データを複数のグループに分割しない（すなわち、前記複数枚の原稿Ｐの画像データの全ページを１つのグループとして扱う）分割モードである。
【００２７】
前記「１ページ分割モード」は、前記複数枚の原稿Ｐの画像データを１枚ずつのグループ（すなわち、原稿Ｐの枚数と同数のグループ）に分割する分割モードである。例えば、画像読取部１２により１０枚の原稿Ｐ１〜Ｐ１０が読み取られた場合は、図６に示されるように、当該１０枚の原稿Ｐ１〜Ｐ１０の画像データが、１０個のグループＧ１〜Ｇ１０に分割される。なお、ファイル形式として前記「ＪＰＧ」が選択された場合には、分割モードとして前記「１ページ分割モード」が強制的に選択されてもよい。
【００２８】
前記「一定枚数分割モード」は、前記複数枚の原稿Ｐの画像データをユーザー操作に応じて設定される一定枚数のグループに分割する分割モードである。画像読取設定画面２０には、前記一定枚数分割モードにおける分割条件を指定するための入力欄２３が含まれている。前記「一定枚数分割モード」では、前記複数枚の原稿Ｐの画像データが、入力欄２３に入力された枚数のグループに分割される。例えば、入力欄２３に「３」と入力され、画像読取部１２により１０枚の原稿Ｐ１〜Ｐ１０が読み取られた場合は、図７に示されるように、当該１０枚の原稿Ｐ１〜Ｐ１０の画像データが、３枚の原稿Ｐ１〜Ｐ３の画像データからなるグループＧ１と、３枚の原稿Ｐ４〜Ｐ６の画像データからなるグループＧ２と、３枚の原稿Ｐ７〜Ｐ９の画像データからなるグループＧ３と、１枚の原稿Ｐ１０の画像データからなる１つのグループＧ４とに分割される。
【００２９】
前記「任意枚数分割モード」は、前記複数枚の原稿Ｐの画像データをユーザー操作に応じて設定される任意の枚数のグループに分割する分割モードである。画像読取設定画面２０には、前記「任意枚数分割モード」における分割条件を指定するための入力欄２４が含まれている。前記「任意枚数分割モード」では、前記複数枚の原稿Ｐの画像データが、入力欄２４に入力された枚数のグループに分割される。例えば、入力欄２３に「１−２−２−１−３−１」と入力され、画像読取部１２により１０枚の原稿Ｐ１〜Ｐ１０が読み取られた場合は、図８に示されるように、当該１０枚の原稿Ｐ１〜Ｐ１０の画像データが、１枚の原稿Ｐ１の画像データからなるグループＧ１と、２枚の原稿Ｐ２，Ｐ３の画像データからなるグループＧ２と、２枚の原稿Ｐ４，Ｐ５の画像データからなるグループＧ３と、１枚の原稿Ｐ６の画像データからなるグループＧ４と、３枚の原稿Ｐ７〜Ｐ９の画像データからなるグループＧ５と、１枚の原稿Ｐ１０の画像データからなるグループＧ６とに分割される。
【００３０】
前記「自動分割モード」は、前記複数枚の原稿Ｐの画像データを、原稿Ｐの特徴に基づいて（例えば、原稿Ｐに含まれる文字又は記号に基づいて）複数のグループに自動的に分割する分割モードである。画像読取設定画面２０には、前記「自動分割モード」における分割条件を設定するための詳細設定ボタン２５が含まれている。詳細設定ボタン２５が操作されると、制御部１６は、例えば図４に示されるような詳細設定画面３０を操作表示部１０に表示する。
【００３１】
詳細設定画面３０には、分割方法を選択するための複数のラジオボタン３１が含まれている。図４に示される詳細設定画面３０には、前記「自動分割モード」における分割方法の選択候補として、「ページ番号で分割」、「章番号で分割」、及び「手書き文字で分割」が表示されている。
【００３２】
前記「ページ番号で分割」は、前記複数枚の原稿Ｐの画像データを、原稿Ｐに含まれるページ番号に基づいて複数のグループに自動的に分割する分割方法である。前記「ページ番号で分割」が選択された場合、制御部１６（分割処理部１６１）は、後述のステップＳ１１において、例えば、ページ番号が連続する一連の原稿Ｐの画像データを１つのグループとして、前記複数枚の原稿Ｐの画像データを複数のグループに自動的に分割する（図９参照）。
【００３３】
前記「章番号で分割」は、前記複数枚の原稿Ｐの画像データを、原稿Ｐに含まれる章番号に基づいて複数のグループに自動的に分割する分割方法である。前記「章番号で分割」が選択された場合、制御部１６（分割処理部１６１）は、後述のステップＳ１１において、例えば、或る章番号を含む原稿Ｐの画像データから、次の章番号を含む原稿Ｐの直前の原稿Ｐの画像データまでを１つのグループとして、前記複数枚の原稿Ｐの画像データを複数のグループに自動的に分割する（図１０参照）。
【００３４】
前記「手書き文字で分割」は、同一の文字又は記号を含む一連の原稿Ｐの画像データを１つのグループとして、前記複数枚の原稿Ｐの画像データを複数のグループに自動的に分割する分割方法である。前記「手書き文字で分割」が選択された場合、制御部１６（分割処理部１６１）は、後述のステップＳ１１において、例えば、同一の文字又は記号を含む一連の原稿Ｐの画像データを１つのグループとして、前記複数枚の原稿Ｐの画像データを複数のグループに自動的に分割する（図１１参照）。
【００３５】
詳細設定画面３０には、関心領域４１を選択するための複数のラジオボタン３２が含まれている。関心領域４１は、前記「自動分割モード」時に原稿Ｐから文字又は記号（すなわち、ページ番号、章番号、又は手書き文字など）を検出する際の原稿Ｐの範囲である。原稿Ｐから文字又は記号を検出するための手法としては、文字認識処理、パターンマッチングなどの任意の手法を用いることができる。
【００３６】
図４に示される詳細設定画面３０には、関心領域４１の選択候補として、「全領域」、「端部領域」、「ヘッダー」、及び「フッター」が表示されている。図５の（Ａ）に示される斜線領域は、前記「全領域」が選択された場合における原稿Ｐの関心領域４１を示している。図５の（Ｂ）に示される斜線領域は、前記「端部領域」が選択された場合における原稿Ｐの関心領域４１を示している。図５の（Ｃ）に示される斜線領域は、前記「ヘッダー」が選択された場合における原稿Ｐの関心領域４１を示している。図５の（Ｄ）に示される斜線領域は、前記「フッター」が選択された場合における原稿Ｐの関心領域４１を示している。
【００３７】
詳細設定画面３０には、ＯＫボタン３３が含まれている。ＯＫボタン３３が操作されると、制御部１６は、詳細設定画面３０を閉じて、操作表示部１０に画像読取設定画面２０を再び表示する。
【００３８】
画像読取設定画面２０には、ファイルの保存先を選択するための選択ボタン２６が含まれている。選択ボタン２６が操作されると、制御部１６は、例えば、ファイルの保存先を選択するための保存先選択画面（不図示）を操作表示部１０に表示する。ファイルの保存先としては、記憶部１５に限らず、例えば、画像処理装置１に装着されたＵＳＢメモリーなどの外部記憶装置（不図示）、又は画像処理装置１に接続された情報処理装置が選択されてもよい。
【００３９】
画像読取設定画面２０には、原稿Ｐの画像の読み取りを開始するための開始ボタン２７が含まれている。開始ボタン２７の操作が検知されると、処理がステップＳ２に移行する。
【００４０】
＜ステップＳ２＞
ステップＳ２において、制御部１６は、ＡＤＦ１１及び画像読取部１２を制御して、ＡＤＦ１１にセットされている複数枚の原稿Ｐの画像を画像読取部１２に読み取らせる。これにより、当該複数枚の原稿Ｐの画像データが生成される。
【００４１】
＜ステップＳ３＞
ステップＳ３において、制御部１６は、ユーザーにより選択された分割モードが前記「１ページ分割モード」であるか否かを判断する。そして、前記分割モードが前記「１ページ分割モード」であると判断されると（Ｓ３：Ｙｅｓ）、処理がステップＳ４に移行する。一方、前記分割モードが前記「１ページ分割モード」ではないと判断されると（Ｓ３：Ｎｏ）、処理がステップＳ５に移行する。
【００４２】
＜ステップＳ４＞
ステップＳ４において、制御部１６（分割処理部１６１）は、前記ステップＳ２で読み取られた前記複数枚の原稿Ｐの画像データを１枚ずつのグループに分割する。例えば、画像読取部１２により１０枚の原稿Ｐ１〜Ｐ１０が読み取られた場合は、図６に示されるように、当該１０枚の原稿Ｐ１〜Ｐ１０の画像データが、１０個のグループＧ１〜Ｇ１０に分割される。そして、処理がステップＳ１２に移行する。
【００４３】
＜ステップＳ５＞
ステップＳ５において、制御部１６は、ユーザーにより選択された分割モードが前記「一定枚数分割モード」であるか否かを判断する。そして、前記分割モードが前記「一定枚数分割モード」であると判断されると（Ｓ５：Ｙｅｓ）、処理がステップＳ６に移行する。一方、前記分割モードが前記「一定枚数分割モード」ではないと判断されると（Ｓ５：Ｎｏ）、処理がステップＳ７に移行する。
【００４４】
＜ステップＳ６＞
ステップＳ６において、制御部１６（分割処理部１６１）は、前記ステップＳ２で読み取られた前記複数枚の原稿Ｐの画像データを、入力欄２３（図３）に入力された枚数のグループに分割する。例えば、入力欄２３に「３」と入力され、画像読取部１２により１０枚の原稿Ｐ１〜Ｐ１０が読み取られた場合は、図７に示されるように、当該１０枚の原稿Ｐ１〜Ｐ１０の画像データが、３枚の原稿Ｐ１〜Ｐ３の画像データからなるグループＧ１と、３枚の原稿Ｐ４〜Ｐ６の画像データからなるグループＧ２と、３枚の原稿Ｐ７〜Ｐ９の画像データからなるグループＧ３と、１枚の原稿Ｐ１０の画像データからなる１つのグループＧ４とに分割される。そして、処理がステップＳ１２に移行する。
【００４５】
＜ステップＳ７＞
ステップＳ７において、制御部１６は、ユーザーにより選択された分割モードが前記「任意枚数分割モード」であるか否かを判断する。そして、前記分割モードが前記「任意枚数分割モード」であると判断されると（Ｓ７：Ｙｅｓ）、処理がステップＳ８に移行する。一方、前記分割モードが前記「任意枚数分割モード」ではないと判断されると（Ｓ７：Ｎｏ）、処理がステップＳ９に移行する。
【００４６】
＜ステップＳ８＞
ステップＳ８において、制御部１６（分割処理部１６１）は、前記ステップＳ２で読み取られた前記複数枚の原稿Ｐの画像データを、入力欄２４に入力された枚数のグループに分割する。例えば、入力欄２３に「１−２−２−１−３−１」と入力され、画像読取部１２により１０枚の原稿Ｐ１〜Ｐ１０が読み取られた場合は、図８に示されるように、当該１０枚の原稿Ｐ１〜Ｐ１０の画像データが、１枚の原稿Ｐ１の画像データからなるグループＧ１と、２枚の原稿Ｐ２，Ｐ３の画像データからなるグループＧ２と、２枚の原稿Ｐ４，Ｐ５の画像データからなるグループＧ３と、１枚の原稿Ｐ６の画像データからなるグループＧ４と、３枚の原稿Ｐ７〜Ｐ９の画像データからなるグループＧ５と、１枚の原稿Ｐ１０の画像データからなるグループＧ６とに分割される。そして、処理がステップＳ１２に移行する。
【００４７】
＜ステップＳ９＞
ステップＳ９において、制御部１６は、ユーザーにより選択された分割モードが前記「自動分割モード」であるか否かを判断する。そして、前記分割モードが前記「自動分割モード」であると判断されると（Ｓ９：Ｙｅｓ）、処理がステップＳ１０に移行する。一方、前記分割モードが前記「自動分割モード」ではないと判断されると（Ｓ９：Ｎｏ）、処理がステップＳ１３に移行する。
【００４８】
＜ステップＳ１０＞
ステップＳ１０において、制御部１６（分割処理部１６１）は、前記ステップＳ２で読み取られた前記複数枚の原稿Ｐの各々の画像データに対して文字認識処理を行う。例えば、詳細設定画面３０において選択された分割方法が前記「ページ番号で分割」である場合は、制御部１６は、前記複数枚の原稿Ｐの各々における、詳細設定画面３０において選択された関心領域４１から、ページ番号を示す文字列（例えば、「１」、「１／１０」、「１ｓｔ」など）を検出する。また、詳細設定画面３０において選択された分割方法が前記「章番号で分割」である場合は、制御部１６は、前記複数枚の原稿Ｐの各々における関心領域４１から、章番号を示す文字列（例えば、「第１章」など）を検出する。また、詳細設定画面３０において選択された分割方法が前記「手書き文字で分割」である場合は、制御部１６は、前記複数枚の原稿Ｐの各々における関心領域４１から、手書きの文字又は記号（例えば、「Ａ」、「○」、「△」など）を検出する。
【００４９】
＜ステップＳ１１＞
ステップＳ１１において、制御部１６（分割処理部１６１）は、前記ステップＳ１０の文字認識処理の結果に基づいて、前記ステップＳ２で読み取られた前記複数枚の原稿Ｐの画像データを、詳細設定画面３０において選択された分割方法で、複数のグループに分割する。
【００５０】
例えば、分割方法が前記「ページ番号で分割」であり、画像読取部１２により図９に示される１０枚の原稿Ｐ１〜Ｐ１０が読み取られた場合は、当該１０枚の原稿Ｐ１〜Ｐ１０の画像データが、連続するページ番号（１〜５）が付された一連の原稿Ｐ１〜Ｐ５の画像データからなるグループＧ１と、連続するページ番号（９〜１２）が付された一連の原稿Ｐ６〜Ｐ９の画像データからなるグループＧ２と、原稿Ｐ１０の画像データからなるグループＧ３とに分割される。
【００５１】
また、例えば、分割方法が前記「章番号で分割」であり、画像読取部１２により図１０に示される１０枚の原稿Ｐ１〜Ｐ１０が読み取られた場合は、当該１０枚の原稿Ｐ１〜Ｐ１０の画像データが、「第１章」の文字列を含む原稿Ｐ１から「第２章」の文字列を含む原稿Ｐ５の直前の原稿Ｐ４までの画像データからなるグループＧ１と、「第２章」の文字列を含む原稿Ｐ５から「第３章」の文字列を含む原稿Ｐ７の直前の原稿Ｐ６までの画像データからなるグループＧ２と、「第３章」の文字列を含む原稿Ｐ７から最後の原稿Ｐ１０までの画像データからなるグループＧ３とに分割される。
【００５２】
また、例えば、分割方法が前記「手書き文字で分割」であり、画像読取部１２により図１１に示される１０枚の原稿Ｐ１〜Ｐ１０が読み取られた場合は、当該１０枚の原稿Ｐ１〜Ｐ１０の画像データが、「Ａ」の文字を含む一連の原稿Ｐ１〜Ｐ５の画像データからなるグループＧ１と、「Ｂ」の文字を含む一連の原稿Ｐ６〜Ｐ９の画像データからなるグループＧ２と、「Ｃ」の文字を含む原稿Ｐ１０の画像データからなるグループＧ３とに分割される。
【００５３】
＜ステップＳ１２＞
ステップＳ１２において、制御部１６（処理実行部１６２）は、前記ステップＳ４，Ｓ６，Ｓ８，Ｓ１１のいずれかにおいて分割されたグループごとに、当該グループに対応する１枚又は複数枚の原稿Ｐの画像データを含む１つのファイルを生成する。そして、処理がステップＳ１４に移行する。
【００５４】
＜ステップＳ１３＞
ステップＳ１３において、制御部１６（処理実行部１６２）は、前記ステップＳ２で読み取られた前記複数枚の原稿Ｐの全ページの画像データを含む１つのファイルを生成する。そして、処理がステップＳ１４に移行する。
【００５５】
＜ステップＳ１４＞
ステップＳ１４において、制御部１６（処理実行部１６２）は、前記ステップＳ１２で生成された複数のファイル、又は前記ステップＳ１３で生成された１つのファイルを、画像読取設定画面２０において選択された保存先に保存する。そして、前記画像読取処理が終了する。
【００５６】
以上のように、本実施形態に係る画像処理装置１によれば、画像読取部１２により読み取られる複数枚の原稿Ｐの画像データが、予め定められた分割条件に基づいて、複数枚の原稿Ｐの画像データからなるグループを少なくとも含む複数のグループに分割される。そして、分割されたグループごとに前記画像データから１つのファイルが生成される。よって、複数枚の原稿Ｐを複数のグループに分割して、原稿Ｐの画像データを前記グループごとに１つのファイルに変換したい場合でも、ユーザーは、前記グループごとに原稿Ｐの画像を画像読取部１２に読み取らせる必要がない。よって、ユーザーの手間が軽減される。
【００５７】
特に、前記「自動分割モード」では、複数枚の原稿Ｐの画像データが原稿Ｐの特徴に基づいて複数のグループに自動的に分割されるので、前記「任意枚数分割モード」のようにユーザーが予め各グループに対応する原稿Ｐの枚数を指定しなくても複数のグループに適切に分割される。よって、ユーザーの手間が軽減される。
【００５８】
［変形例］
なお、本実施形態では、前記「自動分割モード」において、原稿Ｐに含まれる文字又は記号に基づいて、複数枚の原稿Ｐの画像データが複数のグループに自動的に分割されるが、本発明はこれに限定されない。例えば、他の実施形態では、分割処理部１６１は、前記「自動分割モード」において、前記複数枚の原稿Ｐの画像データを、原稿Ｐのサイズに基づいて複数のグループに自動的に分割してもよい。具体的には、分割処理部１６１は、前記「自動分割モード」において、前記複数枚の原稿Ｐの画像データを、サイズが同一である一連の原稿Ｐの画像データを１つのグループとして、複数のグループに自動的に分割してもよい。この場合、例えば、画像読取部１２により図１２に示される１０枚の原稿Ｐ１〜Ｐ１０が読み取られた場合は、当該１０枚の原稿Ｐ１〜Ｐ１０の画像データが、サイズが同一である一連の原稿Ｐ１〜Ｐ４の画像データからなるグループＧ１と、サイズが同一である一連の原稿Ｐ５，Ｐ６の画像データからなるグループＧ２と、サイズが同一である一連の原稿Ｐ７〜Ｐ１０の画像データからなるグループＧ３とに分割される。
【００５９】
なお、本実施形態では、画像読取部１２により読み取られた画像データに基づいてファイルを生成して保存する場合について説明したが、本発明はこれに限定されない。例えば、他の実施形態では、画像読取部１２により読み取られた画像データに基づいて画像形成部１３により記録用紙に画像が形成されてもよい。そして、画像形成部１３から出力された記録用紙が、処理実行部１６２による制御に従って、分割処理部１６１により分割されたグループごとに仕分け処理が行われてもよい。具体的には、画像形成部１３から出力された記録用紙が、処理実行部１６２による制御に従って、分割処理部１６１により分割されたグループごとに、異なる排紙トレイに排出されてもよい。もしくは、画像形成部１３から出力された記録用紙が、処理実行部１６２による制御により、分割処理部１６１により分割されたグループごとに、同一の排出トレイ上の異なる位置に排出されてもよい。さらに他の実施形態では、画像形成部１３から出力された記録用紙が、処理実行部１６２による制御に従って、分割処理部１６１により分割されたグループごとにステープル処理が行われてもよい。
【符号の説明】
【００６０】
１  画像処理装置
１１  ＡＤＦ
１２  画像読取部
１６  制御部
１６１  分割処理部
１６２  処理実行部
２０  画像読取設定画面
３０  詳細設定画面
４１  関心領域
Ｐ，Ｐ１〜Ｐ１０  原稿
Ｇ１〜Ｇ１０  グループ
【図１】
2018056797.tif 000003
【図２】
2018056797.tif 000004
【図３】
2018056797.tif 000005
【図４】
2018056797.tif 000006
【図５】
2018056797.tif 000007
【図６】
2018056797.tif 000008
【図７】
2018056797.tif 000009
【図８】
2018056797.tif 000010
【図９】
2018056797.tif 000011
【図１０】
2018056797.tif 000012
【図１１】
2018056797.tif 000013
【図１２】
2018056797.tif 000014